(57)【要約】  縦軸を有する細長い部材と、細長い部材に接続された固定部分とを含むパイルが開示されている。固定部分は、プレートと、また細長い部材から半径方向に離間している弓状部材とを有する。プレートには弓状遠位縁部がある。プレートは、縦軸に対して非垂直の角度で細長い部材に接続されている。弓状部材は、プレートの弓状遠位縁部に配置されている。プレートは、弓状部材を越えて延在し、かつパイルが地面にねじ込まれるときに地面に係合する弓状遠位縁部の下部を含む先頭部分を有する。
2020533503.tif 000002
【特許請求の範囲】
【請求項１】
縦軸を有する細長い部材と、
前記細長い部材に接続された固定部分と
を含み、
前記固定部分は、プレートと、また前記細長い部材から半径方向に離間している弓状部材とを有し、前記プレートは弓状遠位縁部を有し、前記プレートは前記縦軸に対して非垂直の角度で前記細長い部材に接続され、前記弓状部材は前記プレートの前記弓状遠位縁部に配置され、前記プレートは、前記弓状部材を越えて延在し、かつ前記パイルが地面にねじ込まれるときに地面に係合する前記弓状遠位縁部の下部を含む先頭部分を有する、パイル。
【請求項２】
前記細長い部材が接続部分を含む、請求項１に記載のパイル。
【請求項３】
前記接続部分は、前記細長い部材の端部に配置されている、請求項２に記載のパイル。
【請求項４】
前記接続部分は、前記固定部分に対して前記細長い部材の反対側の端部に配置されている、請求項２または３に記載のパイル。
【請求項５】
前記接続部分は、機械、例えば回転式パワーヘッド、オーガードライブなど、または別のパイルまたはパイルセクションに取り外し可能に接続するように構成されている、請求項２〜４のいずれか一項に記載のパイル。
【請求項６】
前記接続部分は、別個の部材、例えば、延長部材、または延長パイル、または別のパイルに接続するように構成されている、請求項２〜５のいずれか一項に記載のパイル。
【請求項７】
前記固定部分が２つのプレートを含む、請求項１〜６のいずれか一項に記載のパイル。
【請求項８】
前記２つのプレートは、同じ角度であるが反対の角度で前記細長い部材に接続されている、請求項７に記載のパイル。
【請求項９】
前記２つのプレートが平面であり、形状が弓状であり、外縁部が前記弓状遠位縁部を形成している、請求項７〜８のいずれか一項に記載のパイル。
【請求項１０】
前記弓状遠位縁部のすべての部分が、前記細長い部材の外面から実質的に等距離にある、請求項１〜９のいずれか一項に記載のパイル。
【請求項１１】
前記プレートの一方または両方が、前記パイルが地面にねじ込まれるときに地面に係合する先頭部分を有する、請求項７〜９のいずれか一項に記載のパイル。
【請求項１２】
前記弓状部材は、前記プレートの前記弓状遠位縁部から前記細長い部材に平行な方向に延在するか、または弓状部材が各プレートの前記弓状遠位縁部から前記細長い部材に平行な方向に延在する、請求項１〜１１のいずれか一項に記載のパイル。
【請求項１３】
前記弓状部材が、前記縦軸の周りに前記細長い部材と同心円状に延在する、請求項１〜１２のいずれか一項に記載のパイル。
【請求項１４】
前記弓状部材は、前記弓状部材の内面の交差弧に沿って前記プレートの前記弓状遠位縁部に取り付けられるか、または各弓状部材は、前記弓状部材の内面の交差弧に沿って対応するプレートの前記弓状遠位縁部に取り付けられ、前記交差弧は、横方向に、かつ前記内
面の中心に実質的に沿って延在している、請求項１〜１３のいずれか一項に記載のパイル。
【請求項１５】
前記弓状部材は、前記プレートの前記弓状遠位縁部に沿って部分的にのみ延在し、前記弓状遠位縁部の前記下部が露出したままになっている、請求項１〜１４のいずれか一項に記載のパイル。
【請求項１６】
第１の弓状部材が第１のプレートに接続され、第２の弓状部材が第２のプレートに接続されている、請求項７に記載のパイル。
【請求項１７】
前記第１および第２の弓状部材は、前記細長い部材の前記縦軸に対して同じ角度であるが反対の角度で配向される、請求項１６に記載のパイル。
【請求項１８】
前記第１の弓状部材が上縁部および下縁部を有し、前記第２の弓状部材が上縁部および下縁部を有し、前記第１の弓状部材の前記上縁部および前記第２の弓状部材の前記上縁部は一平面にある、すなわち各々が共通の一平面、または平行な一平面、または他方に対して異なる配向の一平面にあり、各々の場合に、前記平面は前記細長い部材の前記縦軸に対して垂直であるかまたは角度をなし、前記第１の弓状部材の前記下縁部および前記第２の弓状部材の前記下縁部は一平面にある、すなわち同様に各々が共通の一平面、または平行な一平面、または他方に対して異なる配向の一平面にあり、各々の場合に、前記平面は同様に前記細長い部材の前記縦軸に対して垂直であるかまたは角度をなしている、請求項１６に記載のパイル。
【請求項１９】
前記パイルは、前記細長い部材に接続された第２の固定部分を含む、請求項１〜１８のいずれか一項に記載のパイル。
【請求項２０】
前記第２の固定部分は、前記細長い部材の縦軸に沿って前記第１の固定部分から離間している、請求項１９に記載のパイル。
【請求項２１】
前記第２の固定部分は、前記接続部分を有する端部とは反対側にある前記細長い部材の端部により近く配置されている、請求項２に従属する場合の、請求項１９〜２０のいずれか一項に記載のパイル。
【請求項２２】
前記第２の固定部分は、前記接続部分と前記第１の固定部分との間に配置されている、請求項２に従属する場合の、請求項１９〜２０のいずれか一項に記載のパイル。
【発明の詳細な説明】
【技術分野】
【０００１】
本発明はパイルに関する。特に、本発明は、建物の基礎の地面固定システム用のパイルに関するが、それに限定されない。
【背景技術】
【０００２】
本明細書における背景技術への言及は、そのような技術がオーストラリアまたは他の地域における共通の一般知識を構成することの承認として解釈されるべきではない。
【０００３】
多くの業界で一般的なプロセスには、基礎を形成するためにパイル（例えば、ポール）を地中へらせん状に動かすことが含まれる。パイルは多くの場合、費用対効果の高い基礎であり、例えば、他の基礎と比較して環境への影響を軽減できる。パイル基礎の他の利点には、設置の容易さや、例えば基礎が通常、機械でねじ込まれるため、人員へのリスクの軽減なども含まれ得る。
【０００４】
パイルの設計は、構造および地盤工学の原則に基づいている。現在利用可能なスクリューパイルおよびブレードパイルは、特に湿った土壌または砂利と砂を主に含む土壌では、必ずしも効果的ではない。そのような土壌は、非粘着性または「緩い」傾向があり、土壌を結合する粘土がほとんどないかまたは不十分である。湿った土壌または緩い土壌は、ブレードパイルまたはスクリューパイルのブレードまたはスクリューの側面からそれぞれ滑り落ちる傾向があり、パイルの耐荷重能力が低くなる。さらに、従来のスクリューパイルおよびブレードパイルは、横方向の支持力が非常に低いことが知られている。
【０００５】
上述の欠点または問題の１つ以上を克服または改善する、または少なくとも現在のパイルの形態の代替物を提供するパイルを提供することが望ましいと考えられる。
【発明の概要】
【０００６】
一形態では、必ずしも唯一または最も広い形態ではないが、本発明は、
細長い部材と、
細長い部材に接続された固定部分と
を含むパイルであって、
固定部分は、細長い部材から半径方向に離間している弓状部材を有する。
【０００７】
細長い部材は、実質的に円筒形であってもよい。細長い部材の外径は、例えば、５０ｍｍから１００ｍｍまでの任意の値を含み得るが、ここからいかなる限定も推測されるべきでない。
【０００８】
細長い部材は中空であってもよい。細長い部材の壁厚は、２ｍｍから１０ｍｍまでの任意の値を含み得る。ただし、これも単なる例であり、ここからいかなる限定も推測されるべきでない。細長い部材はまた、中空である必要はなく、中実であってもよい。
【０００９】
細長い部材は、シャフトの形態であり得る。
【００１０】
細長い部材は、接続部分を含んでもよい。
【００１１】
接続部分は、細長い部材の端部（第１の端部）に配置されてもよい。接続部分は、固定部分に対して（パイルまたはパイルセクションの）細長い部材の反対側の端部に配置されてもよい。
【００１２】
接続部分は、機械に取り外し可能に接続するように構成されてもよい。機械は、回転式パワーヘッド、オーガードライブなどの形態であってもよい。接続部分はまた、別のパイルまたはパイルセクションに取り外し可能に接続するように構成されてもよい。
【００１３】
接続部分はまた（または代替的に）、別個の部材に接続するように構成されてもよい。別個の部材は、延長部材、または延長パイル、または別のパイルの形態であってもよい。
【００１４】
固定部分は、細長い部材の表面に接続されていてもよい。固定部分は、細長い部材に直接固定されていてもよいし、細長い部材の表面に直接固定されていてもよい。
【００１５】
固定部分は、細長い部材の表面から離れるように延在してもよい。
【００１６】
固定部分は、細長い部材の端部（第２の端部）に（またはほぼ向かって）配置されてもよい。固定部分は、接続部分に対して反対側の端部に（またはほぼ向かって）配置されてもよい。
【００１７】
固定部分は、少なくとも１つのプレートを備え得る。固定部材は、２つのプレートを備えてもよい。２つのプレートは、同じ角度であるが反対の角度（すなわち、等しい角度範囲であるが反対方向の角度）で細長い部材に接続されてもよく、言い換えれば、一方のプレートは細長い部材（または細長い部材の縦軸）に対してある方向にＸ度で傾斜し、他方のプレートは細長い部材（または細長い部材の縦軸）に対してその他の方向に同じ量だけ傾斜し得る。プレートは平坦／平面でもよい。プレートは、弓状の（すなわち、部分的な円盤のような）形であってもよい。
【００１８】
プレート（または各プレート）は、弓状遠位縁部を有していてもよい。弓状遠位縁部（およびそのすべての部分）は、細長い部材の外面から実質的に等距離（すなわち一定の距離）にあってもよい。
【００１９】
プレート（または各プレート）には、パイルが地面にねじ込まれたときに地面に係合する先頭部分があってもよい。先頭部分は、対応する弓状部材に接続されていないかまたは対応する弓状部材によって覆われていない、弓状遠位縁部の下部を含むことができる。
【００２０】
弓状部材（または各弓状部材）は、対応するプレートの弓状遠位縁部から、細長い部材に平行な（または縦軸に平行な）方向に延在していてもよい。
【００２１】
弓状部材（または各弓状部材）は、縦軸の周りに細長い部材と同心円状に延在してもよい。
【００２２】
弓状部材（または各弓状部材）は、弓状部材の内面の交差弧に沿ってプレート（または各プレート）の弓状遠位縁部に取り付けられてもよい。交差弧は、横方向に、かつ内面の中心に実質的に沿って延在してもよい。
【００２３】
弓状部材（または各弓状部材）は、プレート（または各プレート）の弓状遠位縁部に沿って部分的にのみ（すべてではなく）延在し、プレート（または各プレート）の弓状遠位縁部の下部は露出したままになっていてもよい。
【００２４】
第１の弓状部材が第１のプレートに接続され、第２の弓状部材が第２のプレートに接続されていてもよい。第１および第２の弓状部材は、細長い部材の縦軸に対して同じ角度であるが反対の角度（すなわち、等しい角度範囲であるが反対方向の角度）で配向されても
よく、言い換えれば、一方の弓状部材は細長い部材（または細長い部材の縦軸）に対してある方向にＸ度で傾斜し、他方の弓状部材は、細長い部材（または細長い部材の縦軸）に対してその他の方向に同じ量だけ傾斜し得る。
【００２５】
第１の弓状部材は、上部（湾曲）縁部および下部（湾曲）縁部を有していてもよい。
【００２６】
第２の弓状部材は、上部（湾曲）縁部および下部（湾曲）縁部を有していてもよい。
【００２７】
第１の弓状部材の上部（湾曲）縁部と第２の弓状部材の上部（湾曲）縁部は、細長い部材の縦軸に対して垂直であるか角度をなす一平面（各々が共通の一平面、平行な一平面、または他方に対して異なる配向の一平面）にあり得る。
【００２８】
第１の弓状部材の下部（湾曲）縁部と第２の弓状部材の下部（湾曲）縁部も、細長い部材の縦軸に対して垂直であるか角度をなす一平面（同様に、各々が共通の一平面、平行な一平面、または他方に対して異なる配向の一平面）にあり得る。
【００２９】
パイルは、細長い部材に接続された第２の固定部分をさらに備えてもよい。
【００３０】
第２の固定部分は、上記で言及した第１の固定部分と同じであっても異なっていてもよい。第２の固定部分は、２つのプレートを備えていてもよい。第２の固定部分の２つのプレートは、細長い部材の縦軸に対して同じ角度であるが反対の角度で配向されていてもよい。２つのプレートは弓状であり得る。
【００３１】
第２の固定部分は、細長い部材の縦軸に沿って第１の固定部分から離間していてもよい。
【００３２】
第２の固定部分は、接続部分を有する（第２の）端部の反対側にある細長い部材の端部により近く（すなわち、細長い部材の第１の端部により近く）配置されてもよい。
【００３３】
第２の固定部分は、接続部分と第１の固定部分との間に配置されてもよい。また、細長い部材に接続された第３（またはそれ以上）の固定部分があってもよい。
【００３４】
特定の一形態では、本発明は、
縦軸を有する細長い部材と、
細長い部材に接続された固定部分と
を含むパイルに関し、
固定部分は、プレートと、細長い部材から半径方向に離間している弓状部材とを有し、プレートは弓状遠位縁部を有し、プレートは縦軸に対して非垂直の角度で細長い部材に接続されており、弓状部材はプレートの弓状遠位縁部に配置され、プレートは、弓状部材を越えて延在し、かつパイルが地面にねじ込まれるときに地面に係合する弓状遠位縁部の下部を含む先頭部分を有する。
【００３５】
別の形態では、本発明はパイルを作製する方法に属し、この方法は
固定部材を細長い部材または細長い部材の表面に接続するステップと、
固定部材に対して弓状部材を接続するステップと
を含み、
弓状部材は、細長い部材から半径方向に離間している。
【００３６】
固定部材は、弓状プレートであってもよい。
【００３７】
固定部材を細長い部材（の表面）に接続するステップは、固定部材をそれに溶接することを含んでもよい。
【００３８】
固定部材に対して弓状部材を接続するステップは、弓状部材を固定部材に溶接することを含んでもよい。
【００３９】
この方法は、第２の固定部分を細長い部材に接続することをさらに含んでもよい。
【００４０】
第２の固定部分を細長い部材（の表面）に接続するステップは、第２の固定部材をそれに溶接することを含んでもよい。
【００４１】
本発明のさらなる特徴および利点は、以下の詳細な説明から明らかになるであろう。
【図面の簡単な説明】
【００４２】
ほんの一例として、本発明の好ましい実施形態を添付の図面を参照して以下により詳細に説明する。
【図１】図１は、本発明の一実施形態によるパイルの斜視図である。
【図２】図２は、図１に示すパイルの側面図である。
【図３】図３は、本発明のさらなる実施形態によるパイルの斜視図である。
【発明を実施するための形態】
【００４３】
図１および図２は、本発明の一実施形態によるパイル１０を示す。パイル１０は、細長い部材１００、固定部分２００および接続部分３００を含む。縦軸１２はパイル１０に沿って延在している。
【００４４】
細長い部材１００は、中空の丸いシャフトの形態である。細長い部材１００は、金属から形成される。この実施形態の金属は鋼である。しかし、さらなる実施形態では、細長い部材１００は、例えば複合材料および／またはアルミニウムを含む、異なる材料から作製されてもよい。
【００４５】
細長い部材１００は、外面１１０の形態の表面を含む。外面１１０は、細長い部材１００の外側部分を画定する。
【００４６】
固定部分２００は、各々がブレードを形成する２つの平坦／平面および弓状のプレート２１０、２２０を備える。しかし、さらなる実施形態では、固定部分２００は、１つのみまたは３つ以上のプレートを備えていてもよい（複数のプレートの場合、それらは一般に細長い部材１００の周りに均等に離間している）。それに加えて、さらなる実施形態では、２つ以上の固定部分２００を細長い部材１００に沿って離間した位置に設置して、追加の基礎支持を提供してもよい。細長い部材に沿って異なる位置に配置されたそれぞれの固定部分は、必ずしもすべて同じ構成を有する必要はない。例えば、固定部分は必ずしも同数のプレートを有する必要はないし（あり得るが）、プレートはすべての固定部分で必ずしも同じ角度に配向されている必要はない（あり得るが）。
【００４７】
プレート２１０、２２０は細長い部材１００の外面１１０に接続されており、各ブレードは、細長い部材１００の縦軸１２に対して同じ角度であるが反対の角度で接続されている。この実施形態では、プレート２１０、２２０は、細長い部材１００の外面１１０に溶接されている。しかし、さらなる実施形態では、プレート２１０、２２０は、細長い部材１００と一体に形成されてもよく、または例えば、細長い部材１００に配置されたカラーに取り付けられてもよい。プレート２１０、２２０は、細長い部材１００から半径方向外向きに延在する。
【００４８】
各プレート２１０、２２０は、細長い部材１００の外面１１０から実質的に等距離（すなわち一定の距離）にある弓状遠位縁部２１１、２２１を有し、遠位縁部２１１、２２１の各々は、細長い部材１００の縦軸１２の周りに特定の半径を有する弧を形成する。しかし、さらなる実施形態では、プレート２１０、２２０の遠位縁部の形状を変えることができる。平面プレート２１０、２２０と同様に、その遠位縁部２１１、２２１は、細長い部材１００の縦軸１２に対して同じ角度であるが反対の角度で配向されている。
【００４９】
さらに、各プレート２１０、２２０は、パイル１０を地中へ挿入する間に固定部分２００（およびパイル１０）が回転するときに地面に接触する、先頭部分２１２、２２２を有する。先頭部分２１２、２２２は、パイルが地中にねじ込まれるときに地面／土壌と係合し、地面／土壌を破壊する。各先頭部分２１２、２２２は切断縁部２１３、２２３を有し、切断縁部２１３、２２３は、細長い部材１００の外面１１０から半径方向に延在し、半径方向外向きの方向に下向きに傾斜し、細長い部材１００の外面１１０から遠位の地面係合点（角部）２１４、２２４で終端する。各先頭部分２１２、２２２はまた、弓状遠位縁部２１１、２２１の下部２１５、２２５を含む。（なお、先頭部分２１２、切断縁部２１３、点（角部）２１４、および弓状遠位縁部２１１の下部２１５は、図１では見えない。）
【００５０】
弓状部材２３０、２４０は、プレート２１０、２２０の遠位縁部２１１、２２１の各々から延在する。弓状部材２３０、２４０は、細長い部材１００から半径方向に離間し、縦軸１２の周りに細長い部材１００と同心円状に延在する。弓状部材２３０、２４０は、金属から形成される。この実施形態の金属は鋼である。しかし、さらなる実施形態では、弓状部材２３０、２４０は、例えば複合材料および／またはアルミニウムを含む、異なる材料から作製されてもよい。
【００５１】
弓状部材２３０、２４０は、湾曲し、長方形または平行四辺形のプレートの形態である。弓状部材２３０、２４０は、弓状部材２３０、２４０の内面２３１、２４１に沿ってプレート２１０、２２０の遠位縁部２１１、２２１に取り付けられ、弓状部材２３０、２４０がプレート２１０、２２０に対してほぼ垂直に延在するようになっている。特に、弓状部材２３０、２４０は、内面２３１、２４１の交差弧に沿ってプレート２１０、２２０の遠位縁部２１１、２２１に取り付けられ、交差弧は、横方向に、かつ内面２３１、２４１の中心に実質的に沿って延在する。すなわち、交差弧は、弓状部材２３０、２４０の上縁部２３２、２４２および下縁部２３３、２４３から等距離にある。結果として、弓状部材２３０、２４０は、プレート２１０、２２０と同様に、細長い部材１００の縦軸１２に対して同じ角度であるが反対の角度に配向される。しかし、さらなる実施形態では、弓状部材２３０、２４０は、細長い部材１００の縦軸１２に対して他の角度で配向されてもよい（図３を参照）。
【００５２】
この実施形態（図１および図２）では、弓状部材２３０、２４０は、プレート２１０、２２０の遠位縁部２１１、２２１に沿って部分的にのみ延在し、遠位縁部２１１、２２１の下部２１５、２２５は露出したままになっている。しかし、さらなる実施形態では、弓状部材２３０、２４０は、プレート２１０、２２０の遠位縁部２１１、２２１の全長に実質的に沿って延在してもよい。
【００５３】
この実施形態では、弓状部材２３０、２４０は、プレート２１０、２２０の遠位縁部２１１、２２１に溶接されている。しかし、さらなる実施形態では、弓状部材２３０、２４０およびプレート２１０、２２０は一体的に形成されてもよい。
【００５４】
接続部分３００は、その上の部品に接続するように構成されたカップリングを含む。接
続部分３００は、パイル１０を回転式パワーヘッド（またはオーガードライブなど）または他のパイルに接続して、互いに接続されたいくつかの別個のパイル（またはパイルセグメント）を含む単一の拡張パイルを作るために使用できる。接続部分３００は、オーストラリア特許第２０１３２４５４５６号に記載されているようなものであってもよい。
【００５５】
パイル１０を製造するために、一対の平坦／平面および弓状のプレート２１０、２２０は（すなわち、各プレートは部分的な円盤のような形状であり、これらは）同じ角度であるが反対の角度で円筒形の中空の細長い部材１００に取り付けられる。典型的には、プレート２１０、２２０は、細長い部材１００に溶接される。しかし、さらなる実施形態では、プレート２１０、２２０は、細長い部材１００に取り外し可能に固定されてもよい。
【００５６】
上記に続いて、弓状部材２３０、２４０がそれぞれのプレート２１０、２２０に接続される。典型的には、弓状部材２３０、２４０は、プレート２１０、２２０の遠位縁部２１１、２２１に溶接される。しかし、さらなる実施形態では、弓状部材２３０、２４０は、プレート２１０、２２０に取り外し可能に固定されてもよい。
【００５７】
図３は、本発明のさらなる実施形態によるスクリューパイル５０を示す。スクリューパイル５０は、スクリューパイル１０に類似しているが、それらの間の相違点を以下に記す。
【００５８】
スクリューパイル１０と同様に、スクリューパイル５０は、細長い部材５００、第１の固定部分６００（一対のプレート６１０、６２０および弓状部材６３０、６４０を含む）および接続部分７００を含む。しかし、スクリューパイル５０は、第２の固定部分８００をさらに含む。縦軸５２は、スクリューパイル５０の中央に沿って延在している。細長い部材５００は、実質的に円筒形の中空であり、外面５１０の形態の表面を有する。外面５１０は、細長い部材５００の外側部分を画定する。
【００５９】
パイル１０とは異なり、パイル５０の弓状部材６３０、６４０は、弓状部材６３０、６４０の上縁部６３２、６４２が第１の共通平面にあり、弓状部材６３０、６４０の下縁部６３３、６４３が第２の共通平面にあるように、プレート６１０、６２０の遠位縁部６１１、６２１に取り付けられ、両方の平面は細長い部材５００の縦軸５２に垂直である。その結果、弓状部材６３０、６４０は、交差弧が内面６３１、６４１に沿って横方向に、やや斜めに延在するように、弓状部材６３０、６４０の内面６３１、６４１の交差弧に沿ってプレート６１０、６２０の遠位縁部６１１、６２１に取り付けられる。
【００６０】
第２の固定部分８００は、２つの平坦／平面および弓状の円盤またはプレート８１０、８２０を含む。しかし、さらなる実施形態では、第２の固定部分８００は、１つのみまたは３つ以上の円盤またはプレートを備えていてもよい。それに加えて、さらなる実施形態では、２つ以上の固定部分８００（および／または６００のようなさらなる固定部分および／または２００のようなさらなる固定部分）を細長い部材５００に沿って配置して、追加の基礎支持を提供してもよい。第２の固定部分８００は、細長い部材５００の縦軸５２に沿って第１の固定部分６００から離間している。
【００６１】
プレート８１０、８２０は、細長い部材５００の外面５１０に接続されており、各ブレードは、細長い部材５００の縦軸５２に対して同じ角度であるが反対の角度で接続されている。すなわち、この実施形態では、プレート８１０、８２０は、細長い部材５００の外面５１０に溶接されている。しかし、さらなる実施形態では、プレート８１０、８２０は、細長い部材５００と一体に形成されてもよく、または細長い部材５００に配置された回転可能なカラーに取り付けられてもよい。プレート８１０、８２０は、細長い部材５００から半径方向外向きに延在する。
【００６２】
各プレート８１０、８２０は、細長い部材５００の外面５１０から実質的に等距離にある弓状遠位縁部８１１、８２１を有し、遠位縁部８１１、８２１の各々は、細長い部材５００の縦軸５２の周りに特定の半径を有する円弧を形成する。あるいは、プレート８１０、８２０の遠位縁部の形状は異なっていてもよい。例えば、図３に示すように、各プレートは、プレートの最下部（すなわち、パイル５０の最も下に位置するプレートの部分）で最小の半径を有し、各プレート８１０、８２０の半径は、遠位縁部に沿っておよび遠位縁部の周りで上方に移動するにつれて増加させることができる。したがって、それぞれのプレートの外側遠位縁部８１１、８２１は、プレート８１０、８２０の最下点で細長い部材５００に最も近く、プレート８１０、８２０の最上点で細長い部材５００から最も遠くなり得る。そのような場合、図３のように、それぞれのプレートの外側遠位縁部８１１、８２１は、パイルの周りを上に移動する方向でらせん状に拡張していると言え、これはパイルがねじ込まれる際のプレート８１０、８２０の切断動作に役立ち得る。第１の固定部分６００のプレート６１０、６２０の遠位縁部６１１、６２１と同様に、プレート８１０、８２０の遠位縁部８１１、８２１は、細長い部材５００の縦軸５２に対して同じ角度であるが反対の角度に配向される。
【００６３】
この実施形態では、第２の固定部分８００は、第１の固定部分６００の下に配置される。すなわち、第２の固定部分８００は、接続部分７００を含む端部とは反対の細長い部材５００の端部により近く配置される。
【００６４】
パイル５０を製造するために、一対の弓状プレート６１０、６２０は、同じ角度であるが反対の角度で円筒形の中空の細長い部材５００に取り付けられる。次に、一対の弓状部材６３０、６４０が、それぞれのプレート６１０、６２０に接続される。
【００６５】
上記に続いて（またはその前に）、一対の弓状プレート８１０、８２０が、同じ角度であるが反対の角度で細長い部材５００に取り付けられる。典型的には、プレート８１０、８２０は、細長い部材５００に溶接される。しかし、さらなる実施形態では、プレート８１０、８２０は、細長い部材５００に取り外し可能に固定されてもよい。
【００６６】
本発明によれば、パイル１０、５０は、現在使用されているパイル、例えばスクリューパイルおよびブレードパイルに対して、特定の改善を提供することができる。パイル１０、５０が地面に設置されると、弓状部材２３０、２４０、６３０、６４０は、特にプレート２１０、２２０、６１０、６２０の近傍およびその下で弓状部材の内側の土壌を圧縮して押し固め、それにより、固定部分２００、６００に隣接する土壌の動きを妨げる。これにより、圧縮と引張の両方でパイル１０、５０の耐荷重能力が大幅に向上する可能性があり、また、パイルが地震事象中にパイルによって固定された構造物の動きを減衰（および共振を防止）するのに役立つ可能性がある。さらに、弓状部材２３０、２４０、６３０、６４０は、パイル１０、５０の横方向支持力を高めることができ、パイル１０、５０が土壌の動き、地面の振動または地震から生じる土壌の液状化および横方向の力によりよく耐えることを可能にし得る。
【００６７】
図１および図２（パイル１０）および図３（パイル５０）に示した実施形態では、複数のパイルを端部と端部で接続して、より長いパイルを形成することができる。（図１および図２の１００ならびに図３の５００のような）各パイルまたはパイルセクションは、その上に（２００、６００および８００のような）複数の固定部分を有することができ、異なる固定部分は異なるサイズであってもよい。同様に、パイルセクションが端部と端部で接合されている場合、異なるセクションの固定部分は異なるサイズであってもよい。
【００６８】
本明細書では、第１および第２、左および右、上部および下部、上および下などの形容
詞は、実際のそのような関係または順序を必ずしも必要とせずまたは暗示せずに、ある要素または働きを別の要素または働きから区別するためにのみ使用されている場合がある。文脈が許せば、整数またはコンポーネントまたはステップ（など）への言及は、その整数、コンポーネントまたはステップの１つのみに限定されると解釈されるべきではなく、その整数、コンポーネントまたはステップなどの１つ以上であり得る。
【００６９】
本発明の様々な実施形態の上記の説明は、関連技術の当業者に説明の目的で提供されている。網羅的であること、または本発明を開示された単一の実施形態に限定することは意図されていない。上記の教示の当業者には、本発明の多数の代替および変形が明らかであろう。したがって、いくつかの代替実施形態を具体的に説明したが、他の実施形態が当業者には明らかであるか、当業者によって比較的容易に開発されるであろう。本発明は、本明細書で説明した本発明のすべての代替形態、修正形態、および変形形態、ならびに上記発明の趣旨および範囲内に入る他の実施形態を包含することを意図している。
【００７０】
本明細書では、用語「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、または同様の用語は、非排他的な包含を意味することを意図し、要素のリストを含む方法、システムまたは装置は、それらの要素のみを含むのではなく、リストに挙げられていない他の要素も含む。
【図１】
2020533503.tif 000003
【図２】
2020533503.tif 000004
【図３】
2020533503.tif 000005
【手続補正書】
【提出日】平成31年4月4日(2019.4.4)
【手続補正１】
【補正対象書類名】特許請求の範囲
【補正対象項目名】全文
【補正方法】変更
【補正の内容】
【特許請求の範囲】
【請求項１】
縦軸を有する細長い部材と、
前記細長い部材に接続された固定部分と
を含み、
前記固定部分は、第１の平面プレートと第２の平面プレートとを備え、各プレートは、前記細長い部材から半径方向に離間しているそれぞれの弓状部材に接続され、
各プレートは、弓状遠位縁部と、前記それぞれの弓状部材を越えて延在し、かつ前記パイルが地面にねじ込まれるときに地面に係合する前記弓状遠位縁部の下部を含む先頭部分とを有し、
前記弓状部材は、前記第１および第２のプレートの前記それぞれの弓状遠位縁部に配置され、
前記第１および第２のプレートは、互いに隣接し、前記細長い部材に前記縦軸に対して反対の非垂直の角度で接続され、
前記第１のプレートは第１の平面にあり、前記第２のプレートは第２の平面にある、パイル。
【請求項２】
前記細長い部材が接続部分を含む、請求項１に記載のパイル。
【請求項３】
前記接続部分は、前記細長い部材の端部に配置されている、請求項２に記載のパイル。
【請求項４】
前記接続部分は、前記固定部分に対して前記細長い部材の反対側の端部に配置されている、請求項２または３に記載のパイル。
【請求項５】
前記接続部分は、機械、例えば回転式パワーヘッド、オーガードライブなど、または別のパイルまたはパイルセクションに取り外し可能に接続するように構成されている、請求項２〜４のいずれか一項に記載のパイル。
【請求項６】
前記接続部分は、別個の部材、例えば、延長部材、または延長パイル、または別のパイ
ルに接続するように構成されている、請求項２〜５のいずれか一項に記載のパイル。
【請求項７】
前記第１および第２のプレートは、同じ角度であるが反対の角度で前記細長い部材に接続されている、請求項１〜６のいずれか一項に記載のパイル。
【請求項８】
前記第１および第２のプレートの形状は弓状であり、外縁部が前記弓状遠位縁部を形成している、請求項１〜７のいずれか一項に記載のパイル。
【請求項９】
前記弓状遠位縁部のすべての部分が、前記細長い部材の外面から実質的に等距離にある、請求項１〜８のいずれか一項に記載のパイル。
【請求項１０】
各弓状部材が、前記第１および第２のプレートの前記それぞれの弓状遠位縁部から、前記細長い部材に平行な方向に延在している、請求項１〜９のいずれか一項に記載のパイル。
【請求項１１】
前記弓状部材は、前記縦軸の周りに前記細長い部材と同心円状に延在する、請求項１〜１０のいずれか一項に記載のパイル。
【請求項１２】
前記弓状部材は、前記弓状部材のそれぞれの内面のそれぞれの交差弧に沿って前記第１および第２のプレートの前記それぞれの弓状遠位縁部に取り付けられ、前記交差弧は横方向に、かつ前記内面の中心に実質的に沿って延在している、請求項１〜１１のいずれか一項に記載のパイル。
【請求項１３】
前記弓状部材は、前記第１および第２のプレートの前記それぞれの弓状遠位縁部に沿って部分的にのみ延在し、前記弓状遠位縁部の前記下部が露出したままになっている、請求項１〜１２のいずれか一項に記載のパイル。
【請求項１４】
前記弓状部材は、前記細長い部材の前記縦軸に対して同じ角度であるが反対の角度で配向されている、請求項１〜１３のいずれか一項に記載のパイル。
【請求項１５】
前記弓状部材の各々が上縁部および下縁部を有し、前記弓状部材の前記上縁部は一平面にある、すなわち各々が共通の一平面、または平行な一平面、または他方に対して異なる配向の一平面にあり、各々の場合に、前記平面は前記細長い部材の前記縦軸に対して垂直であるかまたは角度をなし、前記弓状部材の前記下縁部は一平面にある、すなわち同様に各々が共通の一平面、または平行な一平面、または他方に対して異なる配向の一平面にあり、各々の場合に、前記平面は同様に前記細長い部材の前記縦軸に対して垂直であるかまたは角度をなしている、請求項１〜１４のいずれか一項に記載のパイル。
【請求項１６】
前記パイルは、前記細長い部材に接続された第２の固定部分を含む、請求項１〜１５のいずれか一項に記載のパイル。
【請求項１７】
前記第２の固定部分は、前記細長い部材の前記縦軸に沿って前記第１の固定部分から離間している、請求項１６に記載のパイル。
【請求項１８】
前記第２の固定部分は、前記接続部分を有する前記端部とは反対側にある前記細長い部材の端部により近く配置されている、請求項２に従属する場合の、請求項１６〜１７のいずれか一項に記載のパイル。
【請求項１９】
前記第２の固定部分は、前記接続部分と前記第１の固定部分との間に配置されている、請求項２に従属する場合の、請求項１６〜１７のいずれか一項に記載のパイル。
【請求項２０】
縦軸を有する細長い部材と、
前記細長い部材に接続された第１の固定部分および第２の固定部分と
を含み、
前記第１および第２の固定部分の各々は、前記細長い部材から半径方向に離間しているそれぞれの弓状部材に接続された１つのみの平面プレートを備え、
各プレートは、弓状遠位縁部と、前記それぞれの弓状部材を越えて延在し、かつ前記パイルが地面にねじ込まれるときに地面に係合する前記弓状遠位縁部の下部を含む先頭部分とを有し、
前記弓状部材は、前記プレートの前記それぞれの弓状遠位縁部に配置され、
前記プレートは、前記細長い部材に前記縦軸に対して非垂直の角度で接続され、
前記第１の固定部分は、前記細長い部材の前記縦軸に沿って前記第２の固定部分から離間し、
前記第１の固定部分の前記プレートは第１のプレートにあり、前記第２の固定部分の前記プレートは第２の平面にある、パイル。
【国際調査報告】
2020533503.tif 000006
2020533503.tif 000007
2020533503.tif 000008